(57)【要約】【課題】  この発明は、簡単な操作でペーパーを引き出すことができると共に、切り取りが簡単に行える機構を有するペーパーホルダーを提供することにある。【解決手段】  この発明は、ロールペーパーを回動自在に保持する保持手段と、前記ロールペーパーを収容すると共に、前記保持手段を具備するケース部と具備すると共に、該ケース部が、壁等の固定される固定ケース部と、開閉自在である移動ケース部とによって構成されるペーパーホルダーにおいて、前記移動ケース部に機構的に連結され、移動ケース部の操作と連動して前記ロールペーパーから引き出された連続したペーパーを引出方向に垂直に所定の割合で切断線を入れる切断手段を具備することにある。【選択図】  図１
2005131019.tif 000002
【特許請求の範囲】
【請求項１】
ロールペーパーを回動自在に保持する保持手段と、前記ロールペーパーを収容すると共に、前記保持手段を具備するケース部と具備すると共に、該ケース部が、壁等の固定される固定ケース部と、開閉自在である移動ケース部とによって構成されるペーパーホルダーにおいて、
前記移動ケース部に機構的に連結され、移動ケース部の操作と連動して前記ロールペーパーから引き出された連続したペーパーを引出方向に垂直に所定の割合で切断線を入れる切断手段を具備することを特徴とするペーパーホルダー。
【請求項２】
前記切断手段によって切断された後、前記ペーパーを所定の寸法、前記ケースから引き出す引出手段を具備することを特徴とする請求項１記載のペーパーホルダー。
【請求項３】
前記切断手段は、前記移動ケース部が固定ケース部に対して移動することによって、前記ロールペーパーから引き出されたペーパーのロールペーパー側を固定する第１の弾性固定部と、前記ペーパーの引出方向外方を固定する第２の弾性固定部と、前記第１及び第２の弾性固定部の間に配される一部切り欠き雄刃と、前記第１及び第２の弾性固定部が当接する第１及び第２の当接部及び第１の及び第２の当接部の間に形成される雌刃とによって構成されることを特徴とする請求項１又は２記載のペーパーホルダー。
【請求項４】
前記引出手段は、ロールペーパー近傍に配されたペーパー位置固定手段と、該ペーパー位置固定手段の近傍に配され、前記移動ケース部の移動に伴って前記ペーパー位置固定手段に対して移動し、前記ロールペーパーからペーパーを引き出すペーパー引出手段とによって構成されることを特徴とする請求項２又は３記載のペーパーホルダー。
【請求項５】
前記引出手段は、ロールペーパーを回転させるモータと、該モータの回動状況を検出する検出手段と、該検出手段によって検出された情報に基づいて前記モータを制御し、ロールペーパーの引き出し長さが一定となるように制御する制御手段とによって構成されることを特徴とする請求項２又は３記載のペーパーホルダー。
【発明の詳細な説明】
【技術分野】
【０００１】
本発明は、トイレットペーパー等のロールペーパーを回転可能に保持するペーパーホルダーに関する。
【背景技術】
【０００２】
特許文献１に開示されるペーパーホルダーは、ロールペーパーの使用量を求め、予め設定した適正量以上を使用したときに使いすぎを抑制する報知及び処置を可能にするもので、ロールペーパーの表面に赤外線を照射して、その反射光の強度の強弱を検出する赤外線発光素子及び赤外線受光素子と、この赤外線受光素子によって検出された動作状況が、引き出される状態が所定回数を超えた場合、及び／若しくは使用量が予め設定された所定値を超えた場合に、過多使用の指令信号を出力し、使いすぎを抑制する報知及び処置をするものである。
【０００３】
特許文献２に開示される片手で使用できるトイレットペーパーホルダーは、トイレットペーパーを容易に切断できるように負荷ローラを設け、ホルダーに切断部を延出して形成すると共に、安全カバーを設けたものである。
【特許文献１】特開２００３−３８３８４号公報
【特許文献２】特開２００３−１１６７４２号公報
【発明の開示】
【発明が解決しようとする課題】
【０００４】
以上のように、特許文献１及び２に開示されるような従来のペーパーホルダーにおいては、基本的に使用者が、ロールペーパーからペーパーを引き出し、切断部のカッター部分に沿ってペーパーを引き離して利用するものであり、切断部分がカッター部分の内側に位置することから、次のペーパーが引き出し難いという問題点があった。
【０００５】
また、老人等の要介護者のために、自動切断等の機構を備えると切断されたペーパーが落下し、これを拾うのに苦労するという問題点が生じる。
【０００６】
このため、この発明は、簡単な操作でペーパーを引き出すことができると共に、切り取りが簡単に行える機構を有するペーパーホルダーを提供することにある。
【課題を解決するための手段】
【０００７】
したがって、この発明は、ロールペーパーを回動自在に保持する保持手段と、前記ロールペーパーを収容すると共に、前記保持手段を具備するケース部と具備すると共に、該ケース部が、壁等の固定される固定ケース部と、開閉自在である移動ケース部とによって構成されるペーパーホルダーにおいて、前記移動ケース部に機構的に連結され、移動ケース部の操作と連動して前記ロールペーパーから引き出された連続したペーパーを引出方向に垂直に所定の割合で切断線を入れる切断手段を具備することにある。
【０００８】
また、前記切断手段によって切断された後、前記ペーパーを所定の寸法、前記ケースから引き出す引出手段を具備することが望ましい。
【０００９】
さらに、前記切断手段は、前記移動ケース部が固定ケース部に対して移動することによって、前記ロールペーパーから引き出されたペーパーのロールペーパー側を固定する第１の弾性固定部と、前記ペーパーの引出方向外方を固定する第２の弾性固定部と、前記第１及び第２の弾性固定部の間に配される一部切り欠き雄刃と、前記第１及び第２の弾性固定部が当接する第１及び第２の当接部及び第１の及び第２の当接部の間に形成される雌刃とによって構成されることが望ましい。
【００１０】
さらにまた、前記引出手段は、ロールペーパー近傍に配されたペーパー位置固定手段と、該ペーパー位置固定手段の近傍に配され、前記移動ケース部の移動に伴って前記ペーパー位置固定手段に対して移動し、前記ロールペーパーからペーパーを引き出すペーパー引出手段とによって構成されることが望ましい。
【００１１】
また、前記引出手段は、ロールペーパーを回転させるモータと、該モータの回動状況を検出する検出手段と、該検出手段によって検出された情報に基づいて前記モータを制御し、ロールペーパーの引き出し長さが一定となるように制御する制御手段とによって構成されるものであっても良い。
【００１２】
これによって、ロールペーパーを収納するケースを固定ケース部と移動ケース部とによって構成すると共に、ペーパーを所定の長さ引き出し後、前記移動ケース部を、例えば押して移動させて、切断手段によってロールペーパーに切り込みを入れ、移動ケース部を離すことによって移動ケースが戻る時に所定の長さペーパーが出てくるので、取り代を形成することができ、次回の引き出す時に引き出し易くなるものである。また、切断部による切れ込みは、例えば、真ん中部分がつながり、左右が切り離された状態で出てくるので、切断時にペーパーが落下することを防止することができ、且つペーパーの切断が容易に行えるようになるものである。
【発明の効果】
【００１３】
したがって、この発明によれば、所定の長さペーパーを引き出した後、ケース部の例えば前面部分を押すことによって、ペーパーの切れ込みを入れることができると共に、取り代を形成することができるので、簡単な動作でペーパーを取り出すことができるものである。
【発明を実施するための最良の形態】
【００１４】
以下、この発明の実施例ついて図面により説明する。
【実施例１】
【００１５】
本願発明の実施例に係るペーパーホルダー１は、例えば図１に示すものである。このペーパーホルダー１のケース２は、図示しない壁等の装着固定される固定ケース部３と、この固定ケース部３に対して支点部２Ａを中心に開閉自在又は回動自在に設けられる移動ケース部４とによって構成され、内部にロールペーパー５が着脱自在に収納される。一例をあげると、前記ロールペーパー５は、前記固定ケース部３の側壁部３Ａから屈曲自在に延出する図示しない支持ロッドによって回動自在に保持される。
【００１６】
そして、前記移動ケース部３を開いてロールペーパー５を装着した後、前記ロールペーパー５から所定の長さのペーパー５０を引き出し、前記移動ケース部３を閉じる。
【００１７】
前記ケース２の固定ケース部３には、この固定ケース部３に回動自在に固定された固定ローラ部１５と、この固定ケース部３に固定された前記固定ペーパーガイド６と、この固定ペーパーガイド６の下方に設けられたペーパー５０の切断機構の一部を構成する受け側装置７が設けられる。前記受け側装置７は、上部に位置する第１のフラット受け部７１と、下部に位置する第２のフラット受け部７２と、前記第１のフラット受け部７１及び第２のフラット受け部７２との間に設けられた雌刃部７３とによって構成される。
【００１８】
また切断機構の残りの部分を構成する切断装置８は、前記移動ケース部３に固着又は前記移動ケース部３の移動に伴って移動可能に装着されるもので、前記移動ケース部３に固着又は前記移動ケース部３の移動に伴って移動可能な基板部９と、該基板部９の上端近傍に固着され、前記固定ローラ部１５に対して相対的に移動可能である移動ローラ部１０と、前記受け側装置７の第１のフラット受け部７１に対峙して配される、合成樹脂、ゴム、スポンジ等の弾性部材からなる第１の弾性固定部１１と、前記第２のフラット受け部７２に対峙して配される合成樹脂、ゴム、スポンジ等の弾性部材からなる第２の弾性固定部１２と、前記雌刃部７３に対峙して配される雄刃部１３とによって構成される。また、雄刃部１３は、例えば図２で示すように、前記雌刃部７３内に挿通して前記ペーパー５０をカットする刃部１３Ａと、前記ペーパー５０に所定の範囲で切り残りを形成するための切り欠き部１３Ｂとを具備する。尚、第１の弾性固定部１１は第２の弾性固定部１２よりも先に第１のフラット受け部７１に当接するように、第２の弾性固定部１２よりも長く突出する。
【００１９】
以上の構成のペーパーホルダー１において、図３（ａ）はロールペーパー５を装着した状態を示す。そして、使用者が必要な分だけペーパー５０を引き出して、前記移動ケース部４が押されると、最初に図３（ｂ）で示すように、第１の弾性固定部１１が第１のフラット受け部７１に当接してペーパー５０を保持すると同時に、前記移動ローラ部１０が前記固定ローラ部１５に対して移動してペーパー５０をロールペーパー５から引き出していく。
【００２０】
さらに移動ケース部４が押されると、図３（ｃ）で示されるように、前記第１の弾性固定部１１に続いて第２の弾性固定部１２が前記第２のフラット受け部７２に当接し、前記ペーパー５０が固定されると同時に雄刃部１３が雌刃部７３に挿通してペーパー５０に切れ目を入れると同時に、前記移動ローラ部１０がさらに奥側に進んでペーパー５０をロールペーパー５から引き出す。
【００２１】
そして、図３（ｄ）で示すように、前記移動ケース部４を離すと、前記第１及び第２の弾性固定部１１，１２の復元力により、又は前記支点部２Ａに設けられた反発バネ等の復帰手段により、移動ケース部４は元の位置に戻ることとなり、これに伴って切断装置８が元に位置も戻り、ペーパー５０は前記第１及び第２の弾性固定部１１，１２による保持が解除されることによって前記移動ローラ部１０によって手繰られた分が落下し、前記切断された部分が所定値下方へ落下する。使用者は、ペーパー５０が完全に切断されて落下することがないため、容易にペーパー５０を手にすることができ、未切断部分を手によって切断することによって所定量のペーパー５０を手にすることができる。さらに、切断された部分の上には、次回引き出すための切断代が形成されるので、ペーパー５０の連続引き出しを容易に行うことができるものである。
【実施例２】
【００２２】
図４は、ロールペーパー５からのペーパーの引き出しを、電動で行うための構成の一例を示したものである。この構成において、５１はロールペーパー５を回転させるための回転軸であり、５２は回転軸５１の回転数及び回動範囲を検出するための検出装置であり、５３は前記回転軸５１を回転させるためのモータであり、５４は前記検出装置５２からの信号と、操作パネル５５からの設定信号に基づいて前記モータ５３を駆動するためのコントロールユニット（Ｃ／Ｕ）である。また、操作パネル５５には、ペーパーを所定量引き出すための引き出しスイッチ５５、前記切断装置８を作動させるための切断スイッチ５７、電源スイッチ５８等を具備することが望ましい。以上の構成によって上述した第１の実施例と同様の効果を奏することができるものである。
【実施例３】
【００２３】
図５は、前記雄刃部１３の形状の他の実施例を示すものである。図５（ａ）で示すものは、ペーパーの接続部分を形成する切り欠き部１３Ｂが両側に一つずつ形成されたものを示す。これによって、刃部１３Ａによって切断された後のペーパー５０の接続部分が左右に形成されるため、接続部分の幅を狭く形成できるものである。
【００２４】
また、図５（ｂ）で示すものは、切り欠き部１３Ｂが中央と左右の三カ所に形成された実施例を示す。これによって、刃部１３Ａによって切断された後のペーパー５０の接続部分が中央及び左右に形成されるため、接続部分の幅をさらに狭く形成できるものである。
【図面の簡単な説明】
【００２５】
【図１】本願発明の実施例１に係るペーパーホルダーの構成図である。
【図２】本願発明の実施例１に形態に係る雄刃部の斜視図である。
【図３】本願発明の実施例１に係るペーパーホルダーの動作を説明した説明図である。
【図４】実施例２の説明図である。
【図５】実施例３の説明図である。
【符号の説明】
【００２６】
１  ペーパーホルダー
２  ケース
３  固定ケース部
４  移動ケース部
５  ロールペーパー
６  固定ペーパーガイド
７  受け側装置
８  切断装置
１０  移動ローラ部
１１  第１の弾性固定部
１２  第２の弾性固定部
１３  雄刃部
１３Ａ  刃部
１３Ｂ  切り欠き部
１５  固定ローラ部
７１  第１のフラット受け部
７２  第２のフラット受け部
７３  雌刃部
【図１】
2005131019.tif 000003
【図２】
2005131019.tif 000004
【図３】
2005131019.tif 000005
【図４】
2005131019.tif 000006
【図５】
2005131019.tif 000007